【手続補正書】
【提出日】平成17年8月10日(2005.8.10)
【手続補正１】
【補正対象書類名】明細書
【補正対象項目名】特許請求の範囲
【補正方法】変更
【補正の内容】
【特許請求の範囲】
【請求項１】
検査対象空間内に挿入される可撓性を有する細長い挿入部と、
この挿入部の先端部に配設され、観察用の観察光学系と光源の光で検査対象を照明する照明光学系とが組み込まれた観察ユニットと、
前記挿入部の先端部を任意の方向に湾曲操作する湾曲部と、
前記挿入部の基端部に連結されたベースユニットとを備えたスコープユニットと、
このスコープユニットのベースユニットが着脱可能に連結される固定ユニットとを具備し、
前記ベースユニットに前記挿入部の動作を制御する第１の内視鏡制御機器を備え、
前記固定ユニットに前記第１の内視鏡制御機器以外の第２の内視鏡制御機器を備えたことを特徴とする内視鏡装置。
【請求項２】
前記観察ユニットは、
少なくとも観察画像を撮像する撮像ユニットを備え、
前記第１の内視鏡制御機器は、
少なくとも前記撮像ユニットを制御する撮像制御ユニットと、前記湾曲部を制御する湾曲制御ユニットとを備え、
前記第２の内視鏡制御機器は、
少なくとも前記撮像ユニットからの信号に基いて画像の処理記録を行なう画像処理ユニットと、前記第１，第２の内視鏡制御機器を操作する操作部とを具備することを特徴とする請求項１に記載の内視鏡装置。
【請求項３】
前記光源は、
前記第２の内視鏡制御機器に備えた光源装置であることを特徴とする請求項２に記載の内視鏡装置。
【請求項４】
前記挿入部と、前記ベースユニットと、前記固定ユニットとを一体的に組み付けた内視鏡装置本体と、この内視鏡装置本体を着脱可能に収納するケースと、このケースと前記内視鏡装置本体との間に介設され、前記内視鏡装置本体を外部衝撃から保護する緩衝手段とを具備することを特徴とする請求項１に記載の内視鏡装置。
【請求項５】
前記緩衝手段は、
前記ケースの内面に装着されたケース側緩衝材と、前記内視鏡装置本体の外装部に装着され、前記ケース側緩衝材を受ける受け部材とを具備することを特徴とする請求項４に記載の内視鏡装置。
【請求項６】
前記受け部材は、
前記内視鏡装置本体を前記ケースから取り出し、または収納する際に用いる取っ手であることを特徴とする請求項５に記載の内視鏡装置。
【請求項７】
前記観察光学系は、
少なくとも観察画像を撮像する撮像ユニットを備え、
前記第１の内視鏡制御機器は、
少なくとも前記撮像ユニットを制御する撮像制御ユニットと、前記湾曲部を制御する湾曲制御ユニットと、前記第１，第２の内視鏡制御機器を操作する操作部とを備え、
前記第２の内視鏡制御機器は、
少なくとも前記撮像ユニットからの信号に基いて画像の処理記録を行なう画像処理ユニットを具備することを特徴とする請求項１に記載の内視鏡装置。
【請求項８】
前記第１の内視鏡制御機器は、
さらに、表示装置を備えていることを特徴とする請求項７に記載の内視鏡装置。
【請求項９】
前記照明光学系は、
前記観察ユニットに組み込まれた照明窓と、前記照明窓に照明光を伝送するライトガイドと、を具備することを特徴とする請求項１又は３に記載の内視鏡装置。
【請求項１０】
前記光源は、
発光ダイオードであることを特徴とする請求項１に記載の内視鏡装置。
【手続補正２】
【補正対象書類名】明細書
【補正対象項目名】０００７
【補正方法】変更
【補正の内容】
【０００７】
【課題を解決するための手段】
請求項１の発明は、検査対象空間内に挿入される可撓性を有する細長い挿入部と、この挿入部の先端部に配設され、観察用の観察光学系と光源の光で検査対象を照明する照明光学系とが組み込まれた観察ユニットと、前記挿入部の先端部を任意の方向に湾曲操作する湾曲部と、前記挿入部の基端部に連結されたベースユニットとを備えたスコープユニットと、このスコープユニットのベースユニットが着脱可能に連結される固定ユニットとを具備し、前記ベースユニットに前記挿入部の動作を制御する第１の内視鏡制御機器を備え、前記固定ユニットに前記第１の内視鏡制御機器以外の第２の内視鏡制御機器を備えたことを特徴とする内視鏡装置である。
【手続補正３】
【補正対象書類名】明細書
【補正対象項目名】０００９
【補正方法】変更
【補正の内容】
【０００９】
請求項２及び７の発明は、前記観察ユニットは、少なくとも観察画像を撮像する撮像ユニットを備え、前記第１の内視鏡制御機器は、少なくとも前記撮像ユニットを制御する撮像制御ユニットと、前記湾曲部を制御する湾曲制御ユニットとを備え、前記第２の内視鏡制御機器は、少なくとも前記撮像ユニットからの信号に基いて画像の処理記録を行なう画像処理ユニットを備え、前記第１，第２の内視鏡制御機器を操作する操作部を備えることを特徴とする請求項１に記載の内視鏡装置。
【手続補正４】
【補正対象書類名】明細書
【補正対象項目名】００１０
【補正方法】変更
【補正の内容】
【００１０】
そして、本請求項２及び７の発明では、第２の内視鏡制御機器の電源から電力を供給し、第１の内視鏡制御機器の撮像制御ユニットによって観察ユニットの撮像ユニット、湾曲制御ユニットによって湾曲部をそれぞれ制御し、かつ第２の内視鏡制御機器の画像処理ユニットによって撮像ユニットからの信号に基いて画像の処理記録を行ない、さらに操作部によって第１，第２の内視鏡制御機器を操作するようにしたものである。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
請求項３の発明は、前記光源は、前記第２の内視鏡制御機器に備えた光源装置であることを特徴とする請求項２に記載の内視鏡装置である。
【手続補正８】
【補正対象書類名】明細書
【補正対象項目名】００１４
【補正方法】変更
【補正の内容】
【００１４】
そして、本請求項３の発明では、第２の内視鏡制御機器の光源装置よって照明光を供給するようにしたものである。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
請求項４の発明は、前記挿入部と、前記ベースユニットと、前記固定ユニットとを一体的に組み付けた内視鏡装置本体と、この内視鏡装置本体を着脱可能に収納するケースと、このケースと前記内視鏡装置本体との間に介設され、前記内視鏡装置本体を外部衝撃から保護する緩衝手段とを具備することを特徴とする請求項１に記載の内視鏡装置である。
【手続補正１２】
【補正対象書類名】明細書
【補正対象項目名】００１８
【補正方法】変更
【補正の内容】
【００１８】
そして、本請求項４の発明では、ケースと、内視鏡装置本体との間に介設された緩衝手段によって内視鏡装置本体を外部衝撃から保護するようにしたものである。
【手続補正１３】
【補正対象書類名】明細書
【補正対象項目名】００１９
【補正方法】変更
【補正の内容】
【００１９】
請求項５の発明は、前記緩衝手段は、前記ケースの内面に装着されたケース側緩衝材と、前記内視鏡装置本体の外装部に装着され、前記ケース側緩衝材を受ける受け部材とを具備することを特徴とする請求項４に記載の内視鏡装置である。
【手続補正１４】
【補正対象書類名】明細書
【補正対象項目名】００２０
【補正方法】変更
【補正の内容】
【００２０】
そして、本請求項５の発明では、ケースの内面のケース側緩衝材を内視鏡装置本体の外装部の受け部材に当接させることにより、内視鏡装置本体を外部衝撃から保護するようにしたものである。
【手続補正１５】
【補正対象書類名】明細書
【補正対象項目名】００２１
【補正方法】変更
【補正の内容】
【００２１】
請求項６の発明は、前記受け部材は、前記内視鏡装置本体を前記ケースから取り出し、または収納する際に用いる取っ手であることを特徴とする請求項５に記載の内視鏡装置である。
【手続補正１６】
【補正対象書類名】明細書
【補正対象項目名】００２２
【補正方法】変更
【補正の内容】
【００２２】
そして、本請求項６の発明では、内視鏡装置本体の取っ手を受け部材として使用し、ケースの内面のケース側緩衝材を当接させることにより、内視鏡装置本体を外部衝撃から保護するようにしたものである。
請求項８の発明は、前記第１の内視鏡制御機器は、さらに、表示装置を備えていることを特徴とする請求項７に記載の内視鏡装置である。
本請求項８の発明では、ベースユニットと固定ユニットとの着脱機構を一層簡素化することができる。
請求項９の発明は、前記照明光学系は、前記観察ユニットに組み込まれた照明窓と、前記照明窓に照明光を伝送するライトガイドと、を具備することを特徴とする請求項１又は３に記載の内視鏡装置である。
本請求項９の発明では、光源の光を照明窓まで伝送し、検査対象を照明するものである。
請求項１０の発明は、前記光源は、発光ダイオードであることを特徴とする請求項１に記載の内視鏡装置である。
本請求項１０の発明では、ベースユニットと固定ユニットとの着脱機構を簡素化することができる。
【手続補正１７】
【補正対象書類名】明細書
【補正対象項目名】００９１
【補正方法】変更
【補正の内容】
【００９１】
請求項２及び７の発明によれば、第２の内視鏡制御機器の電源から電力を供給し、第１の内視鏡制御機器の撮像制御ユニットによって観察ユニットの撮像ユニット、湾曲制御ユニットによって湾曲部をそれぞれ制御し、かつ第２の内視鏡制御機器の画像処理ユニットによって撮像ユニットからの信号に基いて画像の処理記録を行ない、さらに操作部によって第１，第２の内視鏡制御機器を操作することができる。
【手続補正１８】
【補正対象書類名】明細書
【補正対象項目名】００９２
【補正方法】削除
【補正の内容】
【手続補正１９】
【補正対象書類名】明細書
【補正対象項目名】００９３
【補正方法】変更
【補正の内容】
【００９３】
請求項３の発明によれば、第２の内視鏡制御機器の光源装置よって照明光を供給することができる。
【手続補正２０】
【補正対象書類名】明細書
【補正対象項目名】００９４
【補正方法】削除
【補正の内容】
【手続補正２１】
【補正対象書類名】明細書
【補正対象項目名】００９５
【補正方法】変更
【補正の内容】
【００９５】
請求項４の発明によれば、ケースと、内視鏡装置本体との間に介設された緩衝手段によって内視鏡装置本体を外部衝撃から保護することができる。
【手続補正２２】
【補正対象書類名】明細書
【補正対象項目名】００９６
【補正方法】変更
【補正の内容】
【００９６】
請求項５の発明によれば、ケースの内面のケース側緩衝材を内視鏡装置本体の外装部の受け部材に当接させることにより、内視鏡装置本体を外部衝撃から保護することができる。
【手続補正２３】
【補正対象書類名】明細書
【補正対象項目名】００９７
【補正方法】変更
【補正の内容】
【００９７】
請求項６の発明によれば、内視鏡装置本体の取っ手を受け部材として使用し、ケースの内面のケース側緩衝材を当接させることにより、内視鏡装置本体を外部衝撃から保護することができる。
請求項８の発明によれば、ベースユニットと固定ユニットとの着脱機構を一層簡素化することができる。
請求項９の発明によれば、光源の光を照明窓まで伝送し、検査対象を照明するものである。
請求項１０の発明によれば、ベースユニットと固定ユニットとの着脱機構を簡素化することができる。